(57)【要約】【課題】  簡易な回路で構成することができ、接続された装置の消費電力を低減させるとともに起動時間を短縮させることが可能な起動処理制御装置を提供する。【解決手段】  ユーザの操作により放送コンテンツ記録再生装置１の電源を投入する指示を取得した時および切断する指示を取得した時を検知することにより、過去の所定期間に放送コンテンツ記録再生装置１が起動されていた時間帯毎の回数を起動履歴情報として集計して記録する起動履歴情報生成記録部３２と、ユーザの操作により電源が切断されているときに、起動履歴情報が設定された閾値以上である第１時間帯に現在時刻情報が該当するときには高速起動モードとし、起動履歴情報が設定された閾値より少ない第２時間帯に現在時刻情報が該当するときには省電力モードとする電源モード決定部３１２とを備えることを特徴とする。【選択図】  図１
2009015770.tif 000002
【特許請求の範囲】
【請求項１】
外部からの指示により電源が投入または切断されるデータ処理装置の起動を制御する起動処理制御装置において、
ユーザの操作により前記データ処理装置の電源を投入する指示を取得した時、および切断する指示を取得した時を検知することにより、過去の所定期間における、前記データ処理装置がユーザの操作により起動されていた時間を、日毎且つ予めこの各日のうちの分割された複数の時間帯毎に起動時間情報として記録し、この起動時間情報に基づいて、前記複数の時間帯毎において前記所定期間内に起動されていた回数を起動履歴情報として集計して記録する起動履歴情報生成記録部と、
前記起動履歴情報生成記録部による集計の結果に基づいて、前記複数の時間帯を前記データ処理装置が前記所定期間中に起動されていた回数が予め設定された閾値以上である第１時間帯と、前記データ処理装置が起動されていた回数が前記閾値より少ない第２時間帯とに分類する時間帯分類部と、
ユーザの操作により前記データ処理装置の電源を切断する指示を取得した後、次に電源を投入する指示を取得するまでの間に、所定時間間隔で現在時刻情報を取得し、取得した現在時刻情報が前記第１時間帯に該当するときには、前記データ処理装置内の少なくともデータを出力する処理部を除く処理部に電源が投入された状態である高速起動モードとし、前記現在時刻情報が前記第２時間帯に該当するときには、前記データ処理装置内の少なくとも電源の投入指示を取得する処理部を除く処理部の電源が切断された状態である省電力モードとする電源モード決定部と、
ユーザの操作により前記データ処理装置の電源を切断する指示を取得した後、次に電源を投入する指示を取得したときには、前記電源モード決定部により決定された前記高速起動モードまたは前記省電力モードに対応して、前記データ処理装置の起動を制御する起動制御部と、
を備えることを特徴とする起動処理制御装置。
【請求項２】
前記データ処理装置が設置されている室内の照度を計測する照度センサをさらに備え、
前記電源モード決定部は、
取得した現在時刻情報が予め設定された昼時間帯に該当するか夜時間帯に該当するかを判定するとともに前記照度センサの計測値により前記室内の照明が点灯しているか消灯しているかを判定し、
現在時刻情報が前記昼時間帯に該当すると判定されたとき、または、現在時刻情報が前記夜時間帯に該当すると判定され且つ前記室内の照明が点灯していると判定したときは、更に、取得した現在時刻情報が前記第１時間帯に該当するときには、前記高速起動モードとし、前記現在時刻情報が前記第２時間帯に該当するときには、前記省電力モードとし、
現在時刻情報が夜時間帯に該当すると判定され且つ前記室内の照明が消灯していると判定したときには、前記省電力モードとする、
ことを特徴とする請求項１に記載の起動処理制御装置。
【請求項３】
前記データ処理装置が設置されている室内に人が在室しているか否かを判定する人感センサをさらに備え、
前記電源モード決定部は、
前記人感センサにより前記室内に人が在室していると判定されたとき、または、前記人感センサにより前記室内に人が在室していないと判定され且つ人が在室していない時間が予め設定された閾値よりも短いときに、且つ、取得した現在時刻情報が前記第１時間帯に該当するときには、前記高速起動モードとし、前記現在時刻情報が前記第２時間帯に該当するときには、前記省電力モードとし、
前記人感センサにより前記室内に人が在室していないと判定され且つ人が在室していない時間が前記閾値以上であるときには、前記省電力モードとする、
ことを特徴とする請求項１に記載の起動処理制御装置。
【発明の詳細な説明】
【技術分野】
【０００１】
本発明は、データ処理装置に電源が投入された際の起動処理を制御する起動処理制御装置に関する。
【背景技術】
【０００２】
一般的に利用されている各種データ処理装置において、消費電力の低減を図るためには、装置を利用しないときに主電源を切ることにより装置内の全ての電力消費を完全に止めることが有効である。
【０００３】
しかし、近年の各種データ装置は搭載されるアプリケーションが年々複雑になってきており、主電源を切断しておくと電源投入時に起動時間が長くかかるようになってきているため、こまめに主電源を切ることは起動時におけるユーザの利便性を低下させることになる。
【０００４】
電源投入時の起動処理が高速に行われるようにするために、予め電源を投入した状態を定常状態とし、電源を切断したときには表示画面を暗くするようにして見かけ上は電源を切断したような状態に設定することが考えられるが、この場合、起動処理は高速になるが消費電力は電源投入時とほぼ変わらないため、消費電力を有効に低減させることはできない。
【０００５】
そこで「消費電力の低減」と「起動時間の短縮」との両立を図るものとして、特許文献１に記載のデータ処理装置がある。
【０００６】
特許文献１に記載のデータ処理装置は、電源制御部が電源切断の指示を受けたときには、データの生成処理を行う信号処理回路への電力の供給は継続したままで、生成されたデータを記録媒体に書き込むドライブへの電力の供給を停止する。
【０００７】
このように処理することで、電源切断時に電源が投入されているときよりも消費電力を抑えることができるとともに、再度電源が投入されたときには高速に起動することができる。
【特許文献１】特開２００６−２０９９４１号公報
【発明の開示】
【発明が解決しようとする課題】
【０００８】
しかし、特許文献１のデータ処理装置は、電源切断の指示を取得したときに装置内の一部の回路のみの電源を切断する制御を行うため、電源の制御動作や回路構成が複雑になるという問題があった。
【０００９】
よって本発明は、簡易な回路で構成することができ、接続された装置の消費電力を低減させるとともに起動時間を短縮させることが可能な起動処理制御装置を提供することを目的とする。
【課題を解決するための手段】
【００１０】
上記目的を達成するための本発明の起動処理制御装置（３０）は、外部からの指示により電源が投入または切断されるデータ処理装置（１）の起動を制御する起動処理制御装置（３０）において、ユーザの操作により前記データ処理装置（１）の電源を投入する指示を取得した時、および切断する指示を取得した時を検知することにより、過去の所定期間における、前記データ処理装置（１）がユーザの操作により起動されていた時間を、日毎且つ予めこの各日のうちの分割された複数の時間帯毎に起動時間情報として記録し、この起動時間情報に基づいて、前記複数の時間帯毎において前記所定期間内に起動されていた回数を起動履歴情報として集計して記録する起動履歴情報生成記録部（３２）と、前記起動履歴情報生成記録部（３２）による集計の結果に基づいて、前記複数の時間帯を前記データ処理装置（１）が前記所定期間中に起動されていた回数が予め設定された閾値以上である第１時間帯と、前記データ処理装置（１）が起動されていた回数が前記閾値より少ない第２時間帯とに分類する時間帯分類部（３３）と、ユーザの操作により前記データ処理装置（１）の電源を切断する指示を取得した後、次に電源を投入する指示を取得するまでの間に、所定時間間隔で現在時刻情報を取得し、取得した現在時刻情報が前記第１時間帯に該当するときには、前記データ処理装置（１）内の少なくともデータを出力する処理部（６０）を除く処理部に電源が投入された状態である高速起動モードとし、前記現在時刻情報が前記第２時間帯に該当するときには、前記データ処理装置（１）内の少なくとも電源の投入指示を取得する処理部（１０）を除く処理部の電源が切断された状態である省電力モードとする電源モード決定部（３１２）と、ユーザの操作により前記データ処理装置（１）の電源を切断する指示を取得した後、次に電源を投入する指示を取得したときには、前記電源モード決定部（３１２）により決定された前記高速起動モードまたは前記省電力モードに対応して、前記データ処理装置（１）の起動を制御する起動制御部（３１３）とを備えることを特徴とする。
【００１１】
また、この起動処理制御装置（３０）は、前記データ処理装置（２）が設置されている室内の照度を計測する照度センサ（８０）をさらに備え、前記電源モード決定部（３１２）は、取得した現在時刻情報が予め設定された昼時間帯に該当するか夜時間帯に該当するかを判定するとともに前記照度センサ（８０）の計測値により前記室内の照明が点灯しているか消灯しているかを判定し、現在時刻情報が前記昼時間帯に該当すると判定されたとき、または、現在時刻情報が前記夜時間帯に該当すると判定され且つ前記室内の照明が点灯していると判定したときは、更に、取得した現在時刻情報が前記第１時間帯に該当するときには、前記高速起動モードとし、前記現在時刻情報が前記第２時間帯に該当するときには、前記省電力モードとし、現在時刻情報が夜時間帯に該当すると判定され且つ前記室内の照明が消灯していると判定したときには、前記省電力モードとするようにしてもよい。
【００１２】
また、この起動処理制御装置（３０）は、前記データ処理装置（３）が設置されている室内に人が在室しているか否かを判定する人感センサ（９０）をさらに備え、前記電源モード決定部（３１２）は、前記人感センサ（９０）により前記室内に人が在室していると判定されたとき、または、前記人感センサ（９０）により前記室内に人が在室していないと判定され且つ人が在室していない時間が予め設定された閾値よりも短いときに、且つ、取得した現在時刻情報が前記第１時間帯に該当するときには、前記高速起動モードとし、前記現在時刻情報が前記第２時間帯に該当するときには、前記省電力モードとし、前記人感センサ（９０）により前記室内に人が在室していないと判定され且つ人が在室していない時間が前記閾値以上であるときには、前記省電力モードとするようにしてもよい。
【発明の効果】
【００１３】
本発明の起動処理制御装置によれば、簡易な回路で、接続された装置の消費電力を低減させるとともに起動時間を短縮させることができる。
【発明を実施するための最良の形態】
【００１４】
本発明の第１実施形態〜第３実施形態として、起動処理制御装置としての起動処理制御部が設けられた、データ処理装置としての放送コンテンツ記録再生装置について説明する。
【００１５】
《第１実施形態》
〈第１実施形態による放送コンテンツ記録再生装置の構成〉
本発明の第１実施形態による放送コンテンツ記録再生装置１の構成を、図１を参照して説明する。
【００１６】
図１に示すように、放送コンテンツ記録再生装置１は、リモコン受信部１０と、起動処理制御部３０と、システム制御部４０と、チューナ５０と、表示制御部６０と、記録部７０とを有する。
【００１７】
リモコン受信部１０は、ユーザの操作により外部のリモコン装置から送信される操作信号を受信してデコードし、操作信号が電源投入指示または電源切断指示のとき起動処理制御部３０に送出し、再生指示または記録指示のときはチューナ５０に送出する。
【００１８】
タイマ２０は、ユーザにより設定された電源投入時刻および電源切断時刻を記憶し、この記憶した電源投入時刻が到来したときには電源投入指示を起動処理制御部３０に送出し、電源切断時刻が到来したときには電源切断指示を起動処理制御部３０に送出する。
【００１９】
起動処理制御部３０は、サブマイコン３１と、起動履歴情報生成記録部３２と、時間帯分類部３３と、時刻情報取得部３４とを有する。
【００２０】
サブマイコン３１は、電源操作指示取得部３１１と、電源モード決定部３１２と、起動制御部３１３とを有する。
【００２１】
電源操作指示取得部３１１は、タイマ２０あるいはリモコン受信部１０から電源投入指示または電源切断指示が送出されたときに、電源投入指示または電源切断指示を取得する。
【００２２】
電源モード決定部３１２は、ユーザの操作により電源操作指示取得部３１１において電源切断指示が取得された後、次に電源投入指示が取得されるまでの間、後述する時刻情報取得部３４で所定時間間隔で取得された現在時刻情報および後述する時間帯分類部３３で分類された時間帯の情報に基づいて、放送コンテンツ記録再生装置１内の各処理部の電源を高速起動モードまたは省電力モードに決定する。
【００２３】
本実施形態において、高速起動モードとは放送コンテンツ記録再生装置１内の表示制御部６０を除く全ての処理部の電源が投入された状態であり、省電力モードとは放送コンテンツ記録再生装置１内のリモコン受信部１０および起動処理制御部３０を除く全ての処理部の電源が切断された状態である。
【００２４】
起動制御部３１３は、電源操作指示取得部３１１において電源切断指示が取得された後、次に電源投入指示が取得されたときに、電源モード決定部３１２において決定された高速起動モードまたは省電力モードに対応して、切断されている放送コンテンツ記録再生装置１内の処理部の電源を投入して起動処理を実行させる。
【００２５】
起動履歴情報生成記録部３２は、電源操作指示取得部３１１でユーザの操作により電源投入指示および電源切断指示が取得されたときを検知することにより、過去の所定期間Ｘにおける放送コンテンツ記録再生装置１が起動されていた時間を、日毎且つこの各日のうちの予め分割された複数の時間帯毎に起動時間情報として記録し、この起動時間情報に基づいて、複数の時間帯毎において過去の所定期間Ｘ内に起動されていた回数を起動履歴情報として集計し記録する。
【００２６】
時間帯分類部３３は、起動履歴情報の集計の結果に基づいて、起動履歴情報生成記録部３２で記録された起動履歴情報を構成する複数の時間帯を、放送コンテンツ記録再生装置１が所定期間Ｘ中に起動されていた回数が予め設定された閾値以上である第１時間帯と、放送コンテンツ記録再生装置１が起動されていた回数が閾値より少ない第２時間帯とに分類する。
【００２７】
時刻情報取得部３４は、予め放送コンテンツ記録再生装置１に内蔵された時計機能により所定時間間隔で現在時刻情報を取得する。
【００２８】
チューナ５０は、アナログ放送波またはデジタル放送波を受信し、アナログ放送波を受信したときにはアナログ放送のコンテンツデータに復調し、デジタル放送波を受信したときには復調および復号を行いＭＰＥＧストリームデータに変換し、システム制御部４０の信号処理部４１に送出する。
【００２９】
システム制御部４０は、信号処理部４１と、記録再生制御部４２とを有する。
【００３０】
信号処理部４１は、チューナ５０からアナログ放送のコンテンツデータを取得したときにはこのコンテンツデータをＭＰＥＧ（Moving Picture Experts Group）ストリームデータに変換し、デジタル放送のＭＰＥＧストリームデータを受信したときにはこのＭＰＥＧストリームデータの中から番組コンテンツデータ部分を抽出する。
【００３１】
記録再生制御部４２は、信号処理部４１で処理されたデータを後述する記録部７０に書き込む処理、および、記録部７０に記録されたデータを読み出す処理を行う。
【００３２】
表示制御部６０は、信号処理部４１で処理された放送コンテンツデータまたは記録再生制御部４２により記録部７０から読み出されたコンテンツデータを再生させるためにデコードし、さらに表示させるための表示映像データに変換して外部の表示装置に送信する。
【００３３】
記録部７０は、ＤＶＤ（Digital Versatile Disc）やハードディスクなどの記録媒体であり、記録再生制御部４２により書き込まれたコンテンツデータを記録する。
【００３４】
〈第１実施形態による放送コンテンツ記録再生装置の動作〉
本実施形態による放送コンテンツ記録再生装置１において、ユーザの操作により電源切断指示が取得された後、次に電源投入指示が取得されるまでの間に実行される電源状態を決定する電源モード決定処理（１）、ユーザの操作により電源切断指示が取得された後、次に電源投入指示が取得されたときに放送コンテンツ記録再生装置１を起動する起動処理（２）、受信した放送コンテンツデータを記録または再生する記録再生処理（３）、投入されている電源を切断する電源切断処理（４）の動作について、図２〜６を参照して説明する。
【００３５】
（１）電源モード決定処理
この電源モード決定処理が実行される前提として、以下に説明する（ａ）起動時間情報の記録、（ｂ）起動履歴情報の記録、（ｃ）時間帯の分類が行われる。
【００３６】
（ａ）起動時間情報の記録
まず、ユーザの操作によりリモコン装置から電源切断指示または電源投入指示が送信されるとこれらの指示がリモコン受信部１０で受信され、さらに起動処理制御部３０内のサブマイコン３１の起動履歴情報生成記録部３２においてが取得される。
【００３７】
起動履歴情報生成記録部３２において電源切断指示または電源投入指示が取得されたことが検知されると、これらの指示に基づいて放送コンテンツ記録再生装置１が起動されていた時間が認識され、過去の所定期間Ｘにおける放送コンテンツ記録再生装置１が起動されていた時間が、日毎且つこの各日のうちの予め分割された複数の時間帯毎に起動時間情報として起動履歴情報生成記録部３２に記録される。
【００３８】
本実施形態においては、放送コンテンツ記録再生装置１が起動されていた時間が記録される所定期間Ｘは４週間であり、記録するための複数の時間帯は１時間毎に分割されているものとする。
【００３９】
図２に、過去４週間において放送コンテンツ記録再生装置１が起動されていた時間が、日毎且つ１時間ごとに分割された時間帯毎に記録された起動時間情報の一例を示す。
【００４０】
図２の起動時間情報には、日毎および時間帯毎に区分けされた表に放送コンテンツ記録再生装置１が起動されていた時間がマークされており、例えば１週目は、日曜日の時間帯「0:00〜1:00」、「1:00〜2:00」、「2:00〜3:00」、火曜日の時間帯「22:00〜23:00」、木曜日の時間帯「0:00〜1:00」、金曜日の時間帯「21:00〜22:00」、「22:00〜23:00」、「23:00〜24:00」、土曜日の時間帯「0:00〜1:00」、「1:00〜2:00」が起動されていた時間としてマークされている。
【００４１】
（ｂ）起動履歴情報の記録
次に、起動履歴情報生成記録部３２において、記録された起動時間情報に基づいて所定期間Ｘ内に起動されていた複数の時間帯毎の回数（日数）が集計されて起動履歴情報として記録される。
【００４２】
この起動されていた時間帯毎の回数に制限はないが、本実施形態においては２回以上起動されたときから集計され記録されるものとする。
【００４３】
図３に、図２の起動時間情報に基づいてこの４週間内に起動されていた時間帯毎の回数（日数）が集計された起動履歴情報の一例を示す。
【００４４】
図３の起動履歴情報では、曜日毎および時間帯毎に起動されていた回数が集計されており、例えば日曜日は時間帯「0:00〜1:00」が４回、時間帯「1:00〜2:00」が１回、時間帯「2:00〜3:00」が１回、時間帯「20:00〜21:00」が１回、時間帯「21:00〜22:00」が１回と集計されている。
【００４５】
（ｃ）時間帯の分類
次に、時間帯分類部３３において、起動履歴情報を構成する曜日毎の時間帯が、起動履歴情報の集計の結果に基づいて、放送コンテンツ記録再生装置１が所定期間Ｘ中に起動されていた回数が予め設定された閾値以上である第１時間帯と、放送コンテンツ記録再生装置１が起動されていた回数が閾値より少ない第２時間帯とに分類される。
【００４６】
本実施形態においては、この閾値は「２回」とし、第1時間帯は放送コンテンツ記録再生装置１が４週間の間に起動されていた回数が２回以上の時間帯であり、第２時間帯は放送コンテンツ記録再生装置１が４週間の間に起動されていた回数が０回または１回の時間帯である。
【００４７】
図４は、図３の起動履歴情報に基づいて、曜日ごとの時間帯を第１時間帯と第２時間帯とに分類した状態を示す表である。
【００４８】
図４において、マークされている曜日の時間帯が第１時間帯であり、空白の曜日の時間帯が第２時間帯である。例えば、日曜日は時間帯「0:00〜1:00」が第１時間帯であり、それ以外の時間帯は第２時間帯である。
【００４９】
このように（ａ）起動時間情報の記録、（ｂ）記録履歴情報の記録、および（ｃ）時間帯の分類が行われている状態で、本実施形態による電源モード決定処理が実行されるときの動作について、図５のフローチャートを参照して説明する。
【００５０】
この電源モード決定処理は、放送コンテンツ記録再生装置２においてユーザの操作により電源切断指示が取得された後、次に電源投入指示が取得されるまでの間に所定時間間隔で実行される処理であり、まず電源モード決定処理が開始されると、時刻情報取得部３４において所定時間間隔で現在時刻情報が取得される（Ｓ１）。
【００５１】
時刻情報取得部３４で取得された現在時刻情報は電源モード決定部３１２に送出され、電源モード決定部３１２では時間帯分類部３３で分類された時間帯の情報に基づいて、取得した現在時刻情報が第１時間帯に該当するか、第２時間帯に該当するかが判定される（Ｓ２）。
【００５２】
ステップＳ２において、取得した現在時刻情報が第１時間帯に該当すると判定されたときには、電源モード決定部３１２により、放送コンテンツ記録再生装置１内の表示制御部６０を除く全ての処理部の電源が投入された動作モードである高速起動モードに決定され（Ｓ３）、取得した現在時刻情報が第２時間帯に該当すると判定されたときには、放送コンテンツ記録再生装置１内のリモコン受信部１０および起動処理制御部３０を除く全ての処理部の電源が切断された動作モードである省電力モードに決定される（Ｓ４）。
【００５３】
（２）起動処理
放送コンテンツ記録再生装置１が、上述した（１）動作モード決定処理により決定された動作モードとされている状態で、放送コンテンツ記録再生装置１の起動処理が実行されるときの動作について、図６のフローチャートを参照して説明する。
【００５４】
まず、ユーザの操作により電源投入指示が送信されると電源操作指示取得部３１１において取得され、起動制御部３１３および起動履歴情報生成記録部３２に送出される（Ｓ１１）。
【００５５】
起動制御部３１３では、（１）動作モード決定処理で高速起動モードに決定されているときには（Ｓ１２の「YES」）、放送コンテンツ記録再生装置１内の表示制御部６０を除く処理部の電源は投入された状態であるため、表示制御部６０のみへの電源の投入が指示され、高速に起動処理が行われる（Ｓ１３）。
【００５６】
また、起動制御部３１３では、（１）動作モード決定処理で省電力モードに決定されているときには（Ｓ１２の「NO」）、放送コンテンツ記録再生装置１内のリモコン受信部１０および起動処理制御部３０を除く処理部の電源が切断された省電力の状態であるため、切断されているすべての処理部であるシステム制御部４０、チューナ５０、表示制御部６０、および記録部７０への電源の投入が指示され、通常の起動処理が行われる（Ｓ１４）。
【００５７】
また、ステップＳ１において電源投入指示が起動履歴情報生成記録部３２に送出されると、起動履歴情報生成記録部３２において上記の（１）電源モード決定処理で説明した（ａ）起動時間情報の記録、（ｂ）起動履歴情報の記録、および（ｃ）時間帯の分類が行われ、それぞれ記録される情報が更新される（Ｓ１５）。
【００５８】
（３）記録再生処理
上述した（２）起動処理が行われた状態で、放送コンテンツ記録再生装置１で放送コンテンツの記録処理および再生処理が行われるときの動作について説明する。
【００５９】
まず、ユーザの操作によりリモコン装置が操作され記録指示または再生指示が送信されたとき、または、直接ユーザの操作による放送コンテンツ記録再生装置１に設置された録画ボタンまたは再生ボタン（図示せず）が押下され記録指示または再生指示が送出されたときは、チューナ５０においてこの記録指示または再生指示によるチャンネルが受信された放送波から選局される。
【００６０】
チューナ５０においてチャンネルが選局されると、さらにこの放送波がアナログ放送波であるときにはアナログ放送のコンテンツデータに復調され、デジタル放送波であるときには復調および復号が行われてＭＰＥＧストリームデータに変換され信号処理部４１に送出される。
【００６１】
信号処理部４１では、チューナ５０においてアナログ放送のコンテンツデータが取得されたときにはこのコンテンツデータがＭＰＥＧストリームデータに変換され、デジタル放送信号のＭＰＥＧストリームデータが受信されたときにはこのＭＰＥＧストリームデータの中から番組コンテンツデータ部分が抽出される。
【００６２】
ここで、信号処理部４１で取得された指示が記録指示であるときには、信号処理部４１で処理されたＭＰＥＧストリームデータが記録再生制御部４２により記録部７０に書き込まれる。
【００６３】
また、信号処理部４１で取得された指示が再生指示であるときは、信号処理部４１で処理されたＭＰＥＧストリームデータが取得されるかまたは、記録部７０に記録されたＭＰＥＧストリームデータが記録再生制御部４２で読み出されることにより取得され、表示制御部６０でデコードされた後、外部の表示装置に表示されることにより再生される。
【００６４】
（４）電源切断処理
上述した（２）起動処理により放送コンテンツ記録再生装置１が起動している状態で、ユーザの操作により電源の切断処理が行われるときの動作について説明する。
【００６５】
まず、ユーザの操作により電源切断指示が送信されると電源操作指示取得部３１１において取得され、電源モード決定部３１２および起動履歴情報生成記録部３２に送出される。
【００６６】
電源モード決定部３１２では、（１）動作モード決定処理と同様の処理（ステップＳ１〜Ｓ４）が行われ、高速起動モードまたは省電力モードに決定されることにより電源が切断された状態となる。
【００６７】
また、起動履歴情報生成記録部３２において電源切断指示が取得されると、起動履歴情報生成記録部３２において上記の（１）電源モード決定処理で説明した（ａ）起動時間情報の記録、（ｂ）起動履歴情報の記録、および（ｃ）時間帯の分類が行われ、それぞれ記録される情報が更新される。
【００６８】
以上の本実施形態によれば、放送コンテンツ記録再生装置の電源が切断されているときに、過去の履歴からユーザの操作による利用頻度が高い時間帯は装置内の表示制御部を除く処理部の電源の投入が継続された状態である高速起動モードに決定し、ユーザの操作による利用頻度が低い時間帯はリモコン受信部および起動処理制御部を除くすべての処理部の電源が切断された状態である省電力モードに決定するため、ユーザが電源を投入しようとするときには高速に起動される確率が高く、また常時電源投入を維持している場合よりも消費電力の低減を図ることができる。
【００６９】
なお、本実施形態においては、起動時間情報を記録する所定期間を４週間としたが、これには限定されず、これより長い期間、または短い期間でもよく、またはユーザの使用状況に応じて変化させるようにしてもよい。
【００７０】
また本実施形態においては、起動時間情報および起動履歴情報を記録する時間帯として１時間毎に分割した時間帯を用いたが、これには限定されず、これより長い時間または短い時間（例えば１５分等）で分割した時間帯を用いてもよい。
【００７１】
また本実施形態においては、起動履歴情報を集計する際に曜日毎および時間帯毎に起動されていた回数が集計されるようにしたが、これには限定されず、時間帯のみで分類して集計するようにしてもよい。
【００７２】
《第２実施形態》
本発明の第２実施形態による放送コンテンツ記録再生装置２の構成を、図７を参照して説明する。
【００７３】
図７に示すように、放送コンテンツ記録再生装置２は、照度センサ８０と、起動処理制御部３０内の計測値記録部３５とを有する他は第１実施形態による放送コンテンツ記録再生装置１と同様の構成であるため、同一部分の詳細な説明は省略する。
【００７４】
照度センサ８０は、放送コンテンツ記録再生装置２が設置されている室内Ｙの照度を所定時間間隔で計測して計測値を起動処理制御部３０の計測値記録部３５に送出する。
【００７５】
起動処理制御部３０内の計測値記録部３５は、照度センサ８０から所定時間間隔で取得した室内Ｙの照度の計測値を記録する。
【００７６】
また、電源モード決定部３１２は、取得した現在時刻情報が予め設定された昼時間帯に該当するか夜時間帯に該当するかを判定するとともに、計測値記録部３５に記録された計測値により室内の照明が点灯しているか消灯しているかを判定する。
【００７７】
判定の結果、現在時刻情報が昼時間帯に該当すると判定したとき、または、現在時刻情報が夜時間帯に該当すると判定し且つ室内の照明が点灯していると判定したときは、更に、取得した現在時刻情報が第１時間帯に該当すれば放送コンテンツ記録再生装置２を高速起動モードに決定し、現在時刻情報が第２時間帯に該当すれば放送コンテンツ記録再生装置２を省電力モードに決定する。また、現在時刻情報が夜時間帯に該当すると判定し且つ室内の照明が消灯していると判定したときには、放送コンテンツ記録再生装置２を省電力モードに決定する。
【００７８】
〈第２実施形態による放送コンテンツ記録再生装置の動作〉
本実施形態による放送コンテンツ記録再生装置２における、ユーザの操作により電源切断指示が取得された後、次に電源投入指示が取得されたときに放送コンテンツ記録再生装置１を起動する起動処理（２）、受信した放送コンテンツデータを記録または再生する記録再生処理（３）、投入されている電源を切断する電源切断処理（４）の動作については第１実施形態と同様であるため、詳細な説明は省略する。
【００７９】
本実施形態による放送コンテンツ記録再生装置２において、ユーザの操作により電源切断指示が取得された後、次に電源投入指示が取得されるまでの間に実行される電源状態を決定する電源モード決定処理（５）について説明する。
【００８０】
（５）電源モード決定処理
この電源モード決定処理が実行される前提として行われる（ａ）起動時間情報の記録、（ｂ）起動履歴情報の記録、（ｃ）時間帯の分類については、第１実施形態と同様であるため詳細な説明は省略する。
【００８１】
また本実施形態においては、電源モード決定処理が実行される前提として、照度センサ８０において所定時間間隔で計測された室内Ｙの照度の計測値が計測値記録部３５に送出され記録されているものとする。本実施形態においては、照度センサ８０において照度が計測される間隔は１分間隔とする。
【００８２】
これらの電源モード決定処理の前提となる、室内Ｙの照度の計測処理が行われている状態で、本実施形態による電源モード決定処理が実行されるときの動作について、図８のフローチャートを参照して説明する。
【００８３】
この電源モード決定処理は、放送コンテンツ記録再生装置２においてユーザの操作により電源切断指示が取得された後、次に電源投入指示が取得されるまでの間に所定時間間隔で実行される処理であり、まず電源モード決定処理が開始されると、時刻情報取得部３４において所定時間間隔で現在時刻情報が取得される（Ｓ２１）。
【００８４】
時刻情報取得部３４で取得された現在時刻情報は電源モード決定部３１２に送出され、電源モード決定部３１２では取得された現在時刻情報が予め設定された昼時間帯に該当するか夜時間帯に該当するかが判定される（Ｓ２２）。
【００８５】
この予め設定される昼時間帯と夜時間帯とは、室内Ｙの照明を点灯する必要がない程度に自然光の明るさがある時間帯か否かにより時間情報で分類され、固定した時間情報で区分けしてもよいし、季節によって変動させてもよい。固定した時間情報で区分けする場合の一例としては、昼時間帯が午前７時から午後５時までとし、夜時間帯は午後５時から午前７時までとする設定がある。
【００８６】
ステップＳ２２において現在時刻情報が昼時間帯に該当すると判定されたときは（Ｓ２２の「YES」）、第１実施形態と同様に電源モード決定部３１２により、取得した現在時刻情報が第１時間帯に該当するときには放送コンテンツ記録再生装置２が高速起動モードに決定され、現在時刻情報が第２時間帯に該当するときには放送コンテンツ記録再生装置２が省電力モードに決定される（Ｓ２３、Ｓ２４、Ｓ２５）。
【００８７】
また、ステップＳ２２において現在時刻情報が夜時間帯に該当すると判定されたときは（Ｓ２２の「NO」）、電源モード決定部３１２において計測値記録部３５から最新の３回分の計測値が取得され、この３回の計測値に基づいて室内Ｙの照明が点灯しているか消灯しているかが判定される（Ｓ２６）。本実施形態においては１分間隔で照度の計測が行われているため、現在時刻の２分前、１分前、現在時刻の３回の計測値が取得されるものとする。
【００８８】
電源モード決定部３１２による室内Ｙの照明が点灯しているか消灯しているかの判定の動作について、図９のフローチャートを参照して説明する。
【００８９】
まず、現在時刻２分前の照度が、自然光により室内Ｙの照明を点灯する必要のない程度の照度である照度Ａより低いか否かが判定される（Ｓ３１）。
【００９０】
ステップＳ３１において現在時刻２分前の照度が照度Ａより低いと判定されたとき（Ｓ３１の「YES」：室内Ｙの照明が必要であるが点灯されていない状態）は、さらに現在時刻１分前の照度も照度Ａより低いか否か判定される（Ｓ３２）。
【００９１】
ステップＳ３２において現在時刻１分前の照度も照度Ａより低いと判定されたとき（Ｓ３２の「YES」：室内Ｙの照明が必要であるが点灯されていない状態）は、さらに現在時刻の照度が、室内Ｙの照明が点灯されていると認められ照度Ａよりも高い照度である照度Ｂ以上であるか否かが判定される（Ｓ３３）。
【００９２】
ステップＳ３３において現在時刻の照度が照度Ｂ以上であると判定されたとき（Ｓ３３の「YES」；室内Ｙの照明が点灯されている状態）は、現在時刻の直前に室内Ｙの照明が点灯された（照明ＯＮ）と判定される（Ｓ３４）。
【００９３】
また、ステップＳ３１において現在時刻２分前の照度が照度Ａ以上であると判定されたとき（Ｓ３１の「NO」：室内Ｙの照明が必要でない程度の明るさがある状態）は、この現在時刻２分前の照度が照度Ｂ以上であるか否かが判定される（Ｓ３５）。
【００９４】
ステップＳ３５において現在時刻２分前の照度が照度Ｂ以上であると判定されたとき（Ｓ３５の「YES」：室内Ｙの照明が点灯されている状態）は、さらに現在時刻１分前の照度も照度Ｂ以上であるか否かが判定される（Ｓ３６）。
【００９５】
ステップＳ３６において現在時刻１分前の照度も照度Ｂ以上であると判定されたとき（Ｓ３６の「YES」：室内Ｙの照明が点灯されている状態）は、さらに現在時刻の照度が照度Ａより低いか否かが判定される（Ｓ３７）。
【００９６】
ステップＳ３７において現在時刻の照度が照度Ａより低いと判定されたとき（Ｓ３７の「YES」：室内Ｙの照明が必要であるが点灯されていない状態）は、現在時刻の直前に室内Ｙの照明が消灯された（照明ＯＦＦ）と判定される（Ｓ３８）。
【００９７】
また、ステップＳ３３において現在時刻の照度が照度Ｂより低いと判定されたとき（Ｓ３３の「NO」：室内Ｙの照明が消灯され続けている状態）、ステップＳ３５において現在時刻２分前の照度が照度Ｂより低いと判定されたとき（Ｓ３５の「NO」：室内Ｙの照明が必要でない程度の明るさがあり、照明が点灯されていない状態）、および、ステップＳ３６において現在時刻１分前の照度が照度Ｂより低いと判定されたとき（Ｓ３６の「NO」：室内Ｙの照明が必要でない程度の明るさがあり、現在時刻２分前から１分前の間に室内Ｙの照明が消灯された状態）は、前回判定時と同様に室内Ｙの照明が消灯された状態であると判定される（Ｓ３９）。
【００９８】
また、ステップＳ３２において現在時刻１分前の照度が照度Ａ以上であると判定されたとき（Ｓ３２の「YES」：現在時刻２分前から１分前の間に室内Ｙの照明が点灯された状態）、および、ステップＳ３７において現在時刻の照度が照度Ａ以上であると判定されたとき（Ｓ３７の「NO」：室内Ｙの照明が点灯され続けている状態）は、前回判定時と同様に室内Ｙの照明が点灯された状態であると判定される（Ｓ３９）。
【００９９】
図８に戻り、ステップＳ２６において室内Ｙの照明が点灯していると判定されたときは（Ｓ２６の「YES」）、第１実施形態と同様に電源モード決定部３１２により、取得した現在時刻情報が第１時間帯に該当するときには放送コンテンツ記録再生装置２が高速起動モードに決定され、現在時刻情報が第２時間帯に該当するときには放送コンテンツ記録再生装置２が省電力モードに決定される（Ｓ２３、Ｓ２４、Ｓ２５）。
【０１００】
また、ステップＳ２３において室内Ｙの照明が消灯していると判定されたとき（Ｓ２６の「NO」）、放送コンテンツ記録再生装置２が省電力モードに決定される（Ｓ２５）。
【０１０１】
以上の第２実施形態によれば、放送コンテンツ記録再生装置の電源が切断されているときに、昼時間帯および夜時間帯の照明点灯時には過去の履歴からユーザの操作による利用頻度が高い時間帯は装置内の表示制御部を除く処理部の電源の投入が継続された状態である高速起動モードとし、ユーザの操作による利用頻度が低い時間帯はリモコン受信部および起動処理制御部を除くすべての処理部の電源が切断された状態である省電力モードとし、また夜時間帯の照明消灯時には省電力モードに維持するため、ユーザが在室して電源を投入しようとするときには高速に起動される確率が高く、また常時電源投入を維持している場合よりもさらに消費電力の低減を図ることができる。
【０１０２】
なお、本実施形態においては照明センサによる照度の測定を１分間隔で行った場合について説明したが、これには限定されず、より長い間隔（例えば１０分間隔）やより短い間隔（例えば１０秒間隔）などに適宜設定の変更が可能である。
【０１０３】
また、本実施形態においては照明の点灯または消灯を判定する際に基準として用いる照度Ａおよび照度Ｂが固定された値である場合について説明したが、過去の照度情報を利用して算出されるようにしてもよい。
【０１０４】
《第３実施形態》
本発明の第３実施形態による放送コンテンツ記録再生装置の構成を、図１０を参照して説明する。
【０１０５】
図１０に示すように、放送コンテンツ記録再生装置３は、人感センサ９０と、起動処理制御部３０内の判定値記録部３６とを有する他は第１実施形態による放送コンテンツ記録再生装置１と同様の構成であるため、同一部分の詳細な説明は省略する。
【０１０６】
人感センサ９０は、例えば赤外線を利用して人の存在を検知するセンサであり、放送コンテンツ記録再生装置３が設置されている室内Ｙに在室者がいるか否かを判定し、判定結果を起動処理制御部３０の判定値記録部３６に送出する。
【０１０７】
起動処理制御部３０内の判定値記録部３６は、人感センサ９０から所定時間間隔で取得した室内Ｙに在室者がいるか否かの判定結果を記録する。
【０１０８】
また、電源モード決定部３１２は、判定値記録部３６に記録された判定結果により室内Ｙに在室者がいるか否かを判定する。
【０１０９】
判定の結果、在室者がいるかまたは在室者がいない時間が３０分以内であると判定されたときは、取得した現在時刻情報が第１時間帯に該当すれば放送コンテンツ記録再生装置３を高速起動モードとし、現在時刻情報が第２時間帯に該当すれば放送コンテンツ記録再生装置３を省電力モードとし、３０分以上在室者がいないと判定されたときには、放送コンテンツ記録再生装置３を省電力モードとする。
【０１１０】
〈第３実施形態による放送コンテンツ記録再生装置の動作〉
本実施形態による放送コンテンツ記録再生装置３における、ユーザの操作により電源切断指示が取得された後、次に電源投入指示が取得されたときに放送コンテンツ記録再生装置１を起動する起動処理（２）、受信した放送コンテンツデータを記録または再生する記録再生処理（３）、投入されている電源を切断する電源切断処理（４）の動作については第１実施形態と同様であるため、詳細な説明は省略する。
【０１１１】
本実施形態による放送コンテンツ記録再生装置３において、ユーザの操作により電源切断指示が取得された後、次に電源投入指示が取得されるまでの間に実行される電源状態を決定する電源モード決定処理（６）について説明する。
【０１１２】
（６）電源モード決定処理
この電源モード決定処理が実行される前提として行われる（ａ）起動時間情報の記録、（ｂ）起動履歴情報の記録、（ｃ）時間帯の分類については、第１実施形態と同様であるため詳細な説明は省略する。
【０１１３】
また本実施形態においては、電源モード決定処理が実行される前提として、人感センサ９０において所定時間間隔で判定された在室者がいるか否かの判定結果が判定値記録部３６に送出され記録されているものとする。
【０１１４】
これらの電源モード決定処理の前提となる、室内Ｙに在室者がいるか否かの判定処理が行われた状態で、本実施形態による電源モード決定処理が実行されるときの動作について、図１１のフローチャートを参照して説明する。
【０１１５】
この電源モード決定処理は、放送コンテンツ記録再生装置３においてユーザの操作により電源切断指示が取得された後、次に電源投入指示が取得されるまでの間に所定時間間隔で実行される処理であり、まず電源モード決定処理が開始されると、時刻情報取得部３４において所定時間間隔で現在時刻情報が取得される（Ｓ４１）。時刻情報取得部３４で取得された現在時刻情報は電源モード決定部３１２に送出される。
【０１１６】
次に、電源モード決定部３１２において判定値記録部３６に記録された判定結果が取得され、この判定結果により室内Ｙに在室者がいるか否かが判定される（Ｓ４２）。
【０１１７】
ステップＳ４２において在室者がいると判定されたときは（Ｓ４２の「YES」）、第１実施形態と同様に電源モード決定部３１２により、取得した現在時刻情報が第１時間帯に該当するときには高速起動モードに決定され、現在時刻情報が第２時間帯に該当するときには省電力モードに決定される（Ｓ４３、Ｓ４４、Ｓ４５）。
【０１１８】
また、ステップＳ４２において在室者がいないと判定されたときは（Ｓ４２の「NO」）、判定値記録部３６に記録された判定結果の履歴から室内Ｙに３０分以上在室者がいないか否かが判定される（Ｓ４６）。
【０１１９】
ステップＳ４６において在室者がいない時間が３０分以内であると判定されたときは（Ｓ４６の「NO」）、第１実施形態と同様に電源モード決定部３１２により、取得した現在時刻情報が第１時間帯に該当するときには高速起動モードに決定され、現在時刻情報が第２時間帯に該当するときには省電力モードに決定される（Ｓ４３、Ｓ４４、Ｓ４５）。
【０１２０】
また、ステップＳ４６において在室者がいない時間が３０以上であると判定されたときは（Ｓ４６の「YES」）、放送コンテンツ記録再生装置３が省電力モードに決定される（Ｓ４５）。
【０１２１】
以上の第３実施形態によれば、放送コンテンツ記録再生装置の電源が切断されているときに、在室者がいる時または不在時間が短いときには過去の履歴からユーザの操作による利用頻度が高い時間帯は装置内の表示制御部を除く処理部の電源の投入が継続された状態である高速起動モードとし、ユーザの操作による利用頻度が低い時間帯はリモコン受信部および起動処理制御部を除くすべての処理部の電源が切断された状態である省電力モードとし、また長い時間不在のときには省電力モードに維持するため、ユーザが在室して電源を投入しようとするときには高速に起動される確率が高く、また常時電源投入を維持している場合よりもさらに消費電力の低減を図ることができる。
【０１２２】
なお、本実施形態においては在室者の有無を判断する基準となる不在時間として３０分の場合について説明したが、これには限定されず、利用する環境に応じてこれより長い時間または短い時間に設定してもよい。
【０１２３】
また、第２実施形態と第３実施形態とを組み合わせ、照度センサと人感センサとを用いて対象となる室内に人が在室するか否かをさらに高い精度で検出するようにしてもよい。
【０１２４】
また、本発明の第１実施形態〜第３実施形態においては、データ処理装置として放送コンテンツ記録再生装置である場合について説明したが、これには限定されず、ユーザの操作により電源の投入および切断が行われるデータ処理装置であれば適用可能であり、例えばデジタル放送受信テレビジョンなどのデジタル機器に適用することができる。
【０１２５】
また、上記の実施形態の起動処理制御部の機能構成をプログラム化してコンピュータに組み込むことにより、当該コンピュータを起動処理制御装置として機能させる起動処理制御プログラムを構築することも可能である。
【図面の簡単な説明】
【０１２６】
【図１】本発明の第１実施形態による起動処理制御装置を利用した放送コンテンツ記録再生装置の構成を示すブロック図である。
【図２】本発明の第１実施形態〜第３実施形態による起動処理制御装置を利用した放送コンテンツ記録再生装置で生成される起動時間情報の一例を示す表である。
【図３】本発明の第１実施形態〜第３実施形態による起動処理制御装置を利用した放送コンテンツ記録再生装置で生成される起動履歴情報の一例を示す表である。
【図４】本発明の第１実施形態〜第３実施形態による起動処理制御装置を利用した放送コンテンツ記録再生装置で生成される起動時間情報の時間帯が分類された状態の一例を示す表である。
【図５】本発明の第１実施形態による起動処理制御装置を利用した放送コンテンツ記録再生装置による電源モード決定処理の動作を示すフローチャートである。
【図６】本発明の第１実施形態〜第３実施形態による起動処理制御装置を利用した放送コンテンツ記録再生装置による起動処理の動作を示すフローチャートである。
【図７】本発明の第２実施形態による起動処理制御装置を利用した放送コンテンツ記録再生装置の構成を示すブロック図である。
【図８】本発明の第２実施形態による起動処理制御装置を利用した放送コンテンツ記録再生装置による電源モード決定処理の動作を示すフローチャートである。
【図９】本発明の第２実施形態による起動処理制御装置を利用した放送コンテンツ記録再生装置による室内の照明のON／OFFを判定する処理の動作を示すフローチャートである。
【図１０】本発明の第３実施形態による起動処理制御装置を利用した放送コンテンツ記録再生装置の構成を示すブロック図である。
【図１１】本発明の第３実施形態による起動処理制御装置を利用した放送コンテンツ記録再生装置による電源モード決定処理の動作を示すフローチャートである。
【符号の説明】
【０１２７】
１、２、３…放送コンテンツ記録再生装置
１０…リモコン受信部
２０…タイマ
３０…起動処理制御部
３１…サブマイコン
３２…起動履歴情報生成記録部
３３…時間帯分類部
３４…時刻情報取得部
３５…計測値記録部
３６…判定値記録部
４０…システム制御部
４１…信号処理部
４２…記録再生制御部
５０…チューナ
６０…表示制御部
７０…記録部
８０…照度センサ
９０…人感センサ
３１１…電源操作指示取得部
３１２…電源モード決定部
３１３…起動制御部
【図１】
2009015770.tif 000003
【図２】
2009015770.tif 000004
【図３】
2009015770.tif 000005
【図４】
2009015770.tif 000006
【図５】
2009015770.tif 000007
【図６】
2009015770.tif 000008
【図７】
2009015770.tif 000009
【図８】
2009015770.tif 000010
【図９】
2009015770.tif 000011
【図１０】
2009015770.tif 000012
【図１１】
2009015770.tif 000013